(57)【要約】【課題】  型を必要とせずに厚さが一定で平滑な真空断熱パネルや大きさの異なる真空断熱パネルを容易に製造することができる真空断熱パネルおよびその製造方法を提供すること。【解決手段】  真空断熱材１１を発泡体１２，１３で覆った真空断熱パネル１０を、真空断熱材１１が入る打ち抜き孔１４が形成された断熱発泡体１２と、この断熱発泡体１２の前記打ち抜き孔１４に装着され前記真空断熱材１１に発泡体１３を積層した積層真空断熱体１５とで構成してある。  これにより、断熱発泡体１２に打ち抜き孔１４を形成し、これに真空断熱材１１と発泡体１３を積層した積層真空断熱体１５を装着することで、真空断熱材１１部分と他の断熱発泡体１２部分の厚さを均一かつ平滑にでき、型を用いることなく大きさの異なるパネルも容易に製造できるようになる。【選択図】  図１
2005282840.tif 000002
【特許請求の範囲】
【請求項１】
真空断熱材を発泡体で覆った真空断熱パネルであって、
真空断熱材が入る打ち抜き孔が形成された断熱発泡体と、この断熱発泡体の前記打ち抜き孔に装着され前記真空断熱材に発泡体を積層した積層真空断熱体とでなることを特徴とする真空断熱パネル。
【請求項２】
真空断熱材を発泡体で覆った真空断熱パネルを連続して製造するに際し、
前記真空断熱パネルの大きさに形成した断熱発泡体に前記真空断熱材が入る打ち抜き孔を形成する一方、前記真空断熱材に発泡体を積層した積層真空断熱体を成形し、この積層真空断熱体を前記打ち抜き孔に装着・固定するようにしたことを特徴とする真空断熱パネルの製造方法。
【請求項３】
前記積層真空断熱体を、前記真空断熱材を連続供給しながらその表面に発泡原料を塗布し、この発泡原料の発泡を面材で押えて一定の厚さにして積層硬化させた後、カットして成形するようにしたことを特徴とする請求項２記載の真空断熱パネルの製造方法。
【発明の詳細な説明】
【技術分野】
【０００１】
この発明は、真空断熱パネルおよびその製造方法に関し、断熱発泡体の内部に真空断熱材を埋め込んだ一定の厚さで平滑な真空断熱パネルや大きさの異なる真空断熱パネルも容易に製造できるようにしたもので、建築物や自動販売機、冷凍・冷蔵庫の断熱など高断熱を必要とするパネルおよびその製造法として好適なものである。
【背景技術】
【０００２】
従来から断熱材や断熱材とパネルとを一体化した断熱パネルが種々の分野に用いられており、例えば建築物の断熱にもグラスウールに替え、より断熱性能に優れた硬質ウレタンフォームなどの合成樹脂フォームが用いられ、合成樹脂フォームの両面に面材を積層した断熱パネルが使用されている。
【０００３】
近年、住宅などの建築物の省エネルギー化などを図るため高気密・高断熱化に対する要求の高まりから、断熱パネルの一層の断熱性能の向上を図ろうとすると、断熱層の厚さを厚くしなければならず、スペースや施工の問題が生じてしまう。
【０００４】
そこで、合成樹脂フォームに比べて断熱性能に優れた真空断熱材を用いた真空断熱パネルが提案されており、例えば特許文献１には、建築物に使用可能な断熱パネルとして、図６に示すように、複数個の真空断熱材２を発泡合成樹脂３で覆って構成されたものが開示されている。
【０００５】
この断熱パネル１は、予めスペーサ（図示せず）を真空断熱材２に取り付け、このスペーサを介して面材４，５を取り付けて真空断熱材２と面材４，５との間に所定の間隔の空間を設け、この空間に硬質ポリウレタンフォームなどの発泡合成樹脂３を充填することで製造される。
【０００６】
また、真空断熱材と発泡合成樹脂などの断熱材とからなる複合断熱材の製造方法として、特許文献２には、真空断熱材と断熱材とを予め別々に作成し、接着剤で接着して製造したり、真空断熱材を金型にセットし、金型内に断熱材となる樹脂を注入することで製造されることが開示されている。
【０００７】
同様に、特許文献３には、断熱材を成形するときにインサート成形して断熱材内に真空断熱材を埋め込むようにしたり、断熱材を成形するときに凹所を形成しておき、後から真空断熱材を落とし込んで接着などをして取り付けるようにすることで断熱パネルを製造することが開示されている。
【特許文献１】特開平１０−２１９８６５号公報
【特許文献２】特開平１１−６３３７５号公報
【特許文献３】特開平１０−１１４２４５号公報
【発明の開示】
【発明が解決しようとする課題】
【０００８】
ところが、このような真空断熱材を合成樹脂発泡体などの断熱材で覆った真空断熱パネルを製造する場合に、従来から主として行われている注入法では、型にセットした面材と真空断熱材の狭い空間に合成樹脂発泡体の発泡原料を注入しなければならず、型への装着、型からの取り外しが必要で製造工程が煩雑であり、しかも空間内のエアが十分抜けない場合があり、出来上がった断熱パネルの合成樹脂発泡体にボイドが発生してしまうという問題がある。
【０００９】
さらに、注入法では、面材と真空断熱材を予め取り付けておく型が必要であり、型に対応した大きさの断熱パネルの製造はできるが、大きさの異なる断熱パネルを製造しようとすると、それぞれの大きさに応じた型を用意しなければならないという問題がある。
【００１０】
また、特許文献２の真空断熱材と断熱材とを予め別々に作成し、接着剤で接着して製造する場合には、真空断熱材と同一の大きさのパネルを製造することは容易であるが、断熱材の一部に真空断熱材が配置される一定の厚さのパネルを製造しようとすると、多くの工程が必要になるという問題がある。
【００１１】
さらに、特許文献３のように、断熱材を成形するときに凹所を形成しておき、後から真空断熱材を落とし込んで接着などをして取り付けて製造する場合には、断熱材成形用の凹所を備えた型が必要となり、大きさの異なるパネルの製造には多くの型を用意しなければならないという問題がある。
【００１２】
この発明は、上記従来技術の問題点に鑑みてなされたもので、型を必要とせずに厚さが一定で平滑な真空断熱パネルや大きさの異なる真空断熱パネルを容易に製造することができる真空断熱パネルおよびその製造方法を提供しようとするものである。
【課題を解決するための手段】
【００１３】
上記課題を解決するため、この発明の請求項１記載の真空断熱パネルは、真空断熱材を発泡体で覆った真空断熱パネルであって、真空断熱材が入る打ち抜き孔が形成された断熱発泡体と、この断熱発泡体の前記打ち抜き孔に装着され前記真空断熱材に発泡体を積層した積層真空断熱体とでなることを特徴とするものである。
【００１４】
この真空断熱パネルによれば、真空断熱材を発泡体で覆った真空断熱パネルを、真空断熱材が入る打ち抜き孔が形成された断熱発泡体と、この断熱発泡体の前記打ち抜き孔に装着され前記真空断熱材に発泡体を積層した積層真空断熱体とで構成しており、断熱発泡体に打ち抜き孔を形成し、これに真空断熱材と発泡体を積層した積層真空断熱体を装着することで、真空断熱材部分と他の断熱発泡体部分の厚さを均一かつ平滑にでき、型を用いることなく大きさの異なるパネルも容易に製造できるようになる。
【００１５】
また、この発明の請求項２記載の真空断熱パネルの製造方法は、真空断熱材を発泡体で覆った真空断熱パネルを連続して製造するに際し、前記真空断熱パネルの大きさに形成した断熱発泡体に前記真空断熱材が入る打ち抜き孔を形成する一方、前記真空断熱材に発泡体を積層した積層真空断熱体を成形し、この積層真空断熱体を前記打ち抜き孔に装着・固定するようにしたことを特徴とするものである。
【００１６】
この真空断熱パネルの製造方法によれば、真空断熱材を発泡体で覆った真空断熱パネルを連続して製造するに際し、前記真空断熱パネルの大きさに形成した断熱発泡体に前記真空断熱材が入る打ち抜き孔を形成する一方、前記真空断熱材に発泡体を積層した積層真空断熱体を成形し、この積層真空断熱体を前記打ち抜き孔に装着・固定するようにしており、断熱発泡体に打ち抜き孔を形成し、これに真空断熱材と発泡体を積層した積層真空断熱体を装着することで、真空断熱材部分と他の断熱発泡体部分の厚さが均一かつ平滑なパネルや大きさの異なるパネルも型を用いることなく容易に製造できるようになる。
【００１７】
さらに、この発明の請求項３記載の真空断熱パネルの製造方法は、請求項２記載の構成に加え、前記積層真空断熱体を、前記真空断熱材を連続供給しながらその表面に発泡原料を塗布し、この発泡原料の発泡を面材で押えて一定の厚さにして積層硬化させた後、カットして成形するようにしたことを特徴とするものである。
【００１８】
この真空断熱パネルの製造方法によれば、前記積層真空断熱体を、前記真空断熱材を連続供給しながらその表面に発泡原料を塗布し、この発泡原料の発泡を面材で押えて一定の厚さにして積層硬化させた後、カットして成形するようにしており、真空断熱材に発泡体を積層した積層真空断熱体を連続的に製造することができるようになる。
【発明の効果】
【００１９】
この発明の請求項１記載の真空断熱パネルによれば、真空断熱材部分と他の断熱発泡体部分の厚さを均一かつ平滑にすることができ、型を用いることなく大きさの異なるパネルも容易に製造することができる。
【００２０】
また、この発明の請求項２記載の真空断熱パネルの製造方法によれば、真空断熱材部分と他の断熱発泡体部分の厚さが均一かつ平滑なパネルや大きさの異なるパネルも型を用いることなく容易に製造することができる。
【００２１】
さらに、この発明の請求項３記載の真空断熱パネルの製造方法によれば、真空断熱材に発泡体を積層した積層真空断熱体を連続的に製造することができる。
【発明を実施するための最良の形態】
【００２２】
以下、この発明の実施の形態について図面を参照して詳細に説明する。  
図１は、この発明の真空断熱パネルの一実施の形態にかかる分解状態の概略斜視図である。
【００２３】
この発明の真空断熱パネル１０は、例えば図１に示すように、薄い板状の真空断熱材１１を、断熱発泡体１２でその左右前後の周囲を覆うとともに、上下面のいずれか一方となる面を断熱材となる発泡体１３で覆ってパネル状に構成したものである（なお、ここで、左右、前後、上下とは、図面での状態を示すもので、真空断熱パネルの使用状態を示すものでない、以下、同じ）。
【００２４】
この真空断熱パネル１０としては、断熱発泡体（パネル）１２内に１枚の真空断熱材１１を備えるものに限らず、図２に示すように、断熱発泡体１２内に４枚の真空断熱材１１を備えたものなど、複数枚の真空断熱材１１を断熱発泡体１２内に備えるものであっても良い。
【００２５】
また、真空断熱材１１の左右前後の周囲を断熱発泡体１２で覆うとともに、上下面のいずれか一方となる面を断熱材となる発泡体１３で覆ってパネル状にする場合に限らず、図示省略したが、真空断熱材の左右前後の周囲を断熱発泡体で覆うとともに、上下面を断熱材となる発泡体で覆って真空断熱材を完全に断熱材の内部に埋設した状態のパネル状とすることもできる。
【００２６】
このような真空断熱材１１と断熱発泡体１２とでパネル状にした真空断熱パネル１０は、製品寸法に成形したパネル状の断熱発泡体１２に真空断熱材１１の大きさに対応した打ち抜き孔１４を形成し、この打ち抜き孔１４に、真空断熱材１１に断熱材となる発泡体１３を積層した積層真空断熱体１５を装着し、断熱発泡体１２の打ち抜き孔１４との周囲を図示しないテープなどで固定して構成される。
【００２７】
すなわち、この真空断熱パネル１０では、断熱発泡体１２が製品寸法に成形され、これに打ち抜き孔１４を形成することから、この打ち抜き孔１４に装着される積層真空断熱体１５は、真空断熱材１１と断熱材となる発泡体１３とを積層した厚みが製品寸法となるように製造され、図示例のように片側に発泡体１３を設ける場合も、図示しない両側に発泡体を設ける場合も積層状態の積層真空断熱体の厚みを製品寸法に製造する。
【００２８】
このような真空断熱パネル１０によれば、製品寸法の断熱発泡体１２を製造し、打ち抜き孔１４を形成することは容易であり、これとは別に製造する積層真空断熱体１５も真空断熱材１１の片面あるいは両面にだけ断熱材となる発泡体１３を積層することは容易であることから、これらを組み合わせた真空断熱パネル１０を製品寸法にすることが容易となり、特に、真空断熱材１１部分と他の部分との厚さを均一にできるとともに、平滑性を保つことができる。
【００２９】
すなわち、例えば真空断熱パネルを一体成形しようとして、下面材上に取り付けた真空断熱材１１の上面および周囲に発泡原料を吹き付け、上面材で押えて成形する場合などには、真空断熱材が入る部分と入らない周囲の部分とで厚さが変化したり、上面材で強く押えるようにすると、厚さの変化を小さくできても発泡断熱材の密度にバラツキが生じてしまうが、この真空断熱パネル１０では、真空断熱材１１が入る部分と入らない部分との厚さを均一にできるとともに、密度も均一にすることができ、パネル全体の平滑性を保つことができるのである。
【００３０】
また、この真空断熱パネルによれば、真空断熱材が入る打ち抜き孔が形成された断熱発泡体と、この断熱発泡体の前記打ち抜き孔に装着される前記真空断熱材に発泡体を積層した積層真空断熱体とをそれぞれ別工程で製造することができるので、型を用いることなく大きさの異なるパネルも容易に製造することができる。
【００３１】
次に、この真空断熱パネルについて具体的に説明するとともに、この発明の真空断熱パネルの製造方法について説明する。  
図３〜図５は、この発明の真空断熱パネルの製造方法の一実施の形態にかかり、図３は断熱発泡体の製造工程の概略構成図、図４は積層真空断熱体の製造工程の概略構成図、図５は積層真空断熱体の製造工程の製造開始部分および製造終了部分を拡大した概略構成図である。
【００３２】
真空断熱パネル１０を構成する断熱発泡体１２は、図３に示すように、例えばインバース法で製造され、２枚の上下面材２１、２２の間に断熱発泡体１２となる合成樹脂発泡原料が吹付けられ、発泡・硬化されて一体化された略直方体のパネル状に成形され、両側部がサイドカッタでカットされるとともに、送り方向に所定長さでクロスカッタでカットされて所定寸法に製造される。
【００３３】
このような断熱発泡体１２を構成する上下面材２１、２２は、厚みは特に限定されないが、好ましくは０．１〜１．０ｍｍのものが使用され、例えばプラスチックフィルム（厚さ１５〜５０μ）と一層以上の炭カル紙（１００〜３００ｇ／ｍ２）とを積層したものを使用するが、クラフト紙や中芯紙などにアルミニウムなどの金属箔を積層したもの、クラフト紙や中芯紙などに金属を蒸着したもの、クラフト紙や中芯紙などにポリエチレンフィルム、ポリエステルフィルム等のプラスチックフィルムを積層したもの、これらのプラスチックフィルムを単独としたもの、これらプラスチックフィルムの複数を組み合わせて積層したもの、例えばポリエチレンフィルムと炭カル紙とポリエチレンフィルムとＰＥＴフィルムとの４層構造のものなどを挙げることができる。
【００３４】
また、断熱発泡体１２となる合成樹脂発泡原料としては、例えば硬質ポリウレタンフォームが使用されるほか、ポリスチレンフォーム、ポリエチレンフォーム、フェノールフォーム、塩化ビニルフォーム、ウレタン変性イソシアヌレートフォーム、イソシアヌレートフォーム、カルボン変性イソシアヌレートフォーム等の適宜の合成樹脂フォームを用いることができる。
【００３５】
この合成樹脂発泡原料による断熱発泡体１２は、厚みが９〜３０ｍｍ、フォーム密度が２０〜１００ｋｇ／ｍ3とされる。
【００３６】
そして、断熱発泡体１２の製造に際しては、上面材２１が連続製造装置３０の上面材移送ライン３２からコイル状の上面材２１が連続的に送り出されて供給され、水平に送り出した後その先に設けた湾曲部３３によって上面材２１を反転させて供給するようにしてあり、反転した後、上面材１２と下面材１１とが対向するいわゆるインバース式となっており、上面材移送ライン３２の湾曲部３３の上流には、断熱発泡体１２の発泡原料として、例えば硬質ウレタンフォーム原料を塗布する塗布ノズル３４が設けられ、この塗布ノズル３４によって、例えばイソシアネート系成分とポリオール系成分の２液を混合攪拌して発泡原料とした後、上面材２１の表面（真空断熱パネル１０の内側となる上面）に塗布するようにしている。
【００３７】
また、この塗布時において、発泡原料を横幅方向（図３の紙面垂直方向）に均一に塗布するため、塗布ノズル３４を横幅方向に往復動させながら連続的に塗布するようにし、反転後下面材２２上に被せるようにしたときに断熱発泡体１２の厚みが均一になるようにする。
【００３８】
さらに、上面材移送ライン３２の湾曲部３３から下流にかけて、カーブドプラテンヒーターなどの加熱装置３５が設けられ、塗布ノズル３４で塗布された発泡原料が次第に発泡しながら上面材２１とともに送られる場合の発泡原料の発泡状態を調整できるようにしてある。
【００３９】
こうして上面材２１と下面材２２とを対向させながら接近させ、上面材２１と下面材２２とで合成樹脂発泡体をサンドイッチ状に挟み込んだ後、更に下流のダブルコンベア３６内に送り込んで上下から押えて一定の厚みにする。
【００４０】
このダブルコンベア３６では、上面材２１と下面材２２とを介して上下一対のコンベア３６ａ、３６ｂでサンドイッチ状に挟み込む合成樹脂発泡体を一定の圧力で加圧することで、発泡厚みをほぼ所定の範囲内に規制するようになっており、例えば上方のコンベア３６ａはフローティング状態で支持してある。
【００４１】
また、このダブルコンベア３６では、上面材２１の合成樹脂発泡体を下面材２２に被せるようにすることから、入口側の間隔を広げ、中間部から出口側を一定の間隔として無理なくサンドイッチ状に挟むことができるようにしてある。
【００４２】
こうして上下面材２１、２２の間に断熱発泡体１２となる合成樹脂発泡体が挟まれてパネル状に一体化された後、トリミングのためサイドカッタ３８およびクロスカッタ３９でカットされ、所定の大きさの断熱発泡体１２のパネルが製造される。
【００４３】
そして、この外形が所定寸法とされた断熱発泡体１２のパネルに、プレスによる打ち抜き加工などで打ち抜き孔１４が加工されて断熱発泡体１２が完成する。
【００４４】
このようにして製造される断熱発泡体１２は、型を必要とせずに容易に均一な厚みのものを連続的に製造することができ、大幅な生産性向上を図ることができるとともに、コスト低減を図ることができる。
【００４５】
また、型を必要としないことから、大きさの異なる断熱発泡体１２を容易に製造することができる。
【００４６】
次に、真空断熱パネル１０を構成する積層真空断熱体１５は、例えば真空断熱材１１およびその上下面のいずれか一方の面に積層される断熱材としての発泡体１３とで構成される。
【００４７】
また、積層真空断熱体１５は、真空断熱材およびその上下面の両面に積層される断熱材としての発泡体１３とで構成されたものでも良い。
【００４８】
この真空断熱材１１は、例えば連続気泡形の硬質プラスチックフォームのスラブ材などの芯材と、ゼオライトなどのゲッタ剤とを、ナイロン、ＰＥＴ、アルミ箔、ポリエチレンなどを積層した少なくとも４層のドライラミネート材からなる被覆材に入れてシールし、その内部を０．０５Ｔｏｒｒ以下に減圧して封止したものが使用されるが、これに限らず、プラスチックフィルムと金属箔とのラミネートフィルムを有するものなどの他の被覆材で、シリカ粉末またはグラスウールを有したものなどの他の芯材を包み、内部を真空にした真空断熱材であっても良く、硬質プラスチックフォーム単体の断熱材に比べて熱伝導率が低く（例えば約６分の１）、高い断熱性が得られるものである。
【００４９】
また、断熱材となる発泡体１３は、断熱発泡体１２と同一の合成樹脂発泡体が用いられるほか、断熱発泡体１２として使用できる他の合成樹脂発泡体を用いることもできる。
【００５０】
この積層真空断熱体１５は、積層状態の厚みが断熱発泡体１２と同一とされ、例えば９〜３０ｍｍ、発泡体１３のフォーム密度が２０〜１００ｋｇ／ｍ3とされる。
【００５１】
このような積層真空断熱体１５の製造方法は、例えば図４および図５に示すように、いわゆるインバース法が用いられ、連続供給される上下面材４１，４２のいずれか一方、ここでは上面材４１に発泡体１３となる合成樹脂発泡原料を塗布するとともに、いずれか他方、ここでは下面材４２に真空断熱材１１を接着固定し、合成樹脂発泡原料が発泡した状態で、上面材４１を接近しながら下面材４２上の真空断熱材１１上に載せるようにし、上下面材４１，４２を押さえて一定の厚みにして積層硬化させた後、カットするようにしている。
【００５２】
また、積層真空断熱体の製造方法は、インバース法に限らず、ホリゾンタル法を用いても良いし、所定の厚みの発泡体のみのものと真空断熱材を接着剤や接着テープを介して積層させたものでも良い。
【００５３】
なお、この積層真空断熱体１５の製造では、下面材４２上に真空断熱材１１が接着されて連続供給される点で、既に説明した断熱発泡体１２の製造の場合の下面材２２が単独であったのと異なるものである。
【００５４】
すなわち、この積層真空断熱体１５の製造方法では、連続製造装置５０のほぼ水平に設置された下面材移送ライン５１からコイル状の下面材４２が連続的に送り出されて供給され、この下面材４２上に接触させたり、わずかな間隔で真空断熱材１１が接着剤や粘着テープなどで接着固定される。ここでは、図５〈ａ〉に示すように、ホットメルト接着剤を下面材４２にノズルから吹付けて真空断熱材１１の全面を接着するようにし、真空断熱材１１と下面材４２との間に空気などが入らないようにしている。
【００５５】
こうして真空断熱材１１を下面材４２の表面に全面接着することで、積層真空断熱体１５としたときのそりや変形を防止する。
【００５６】
一方、上面材４１は、上面材移送ライン５２からコイル状の上面材４１が連続的に送り出されて供給され、水平に送り出した後その先に設けた湾曲部５３によって上面材４１を反転させて供給するようにしてある。
【００５７】
そして、上面材移送ライン５２の湾曲部５３の上流には、発泡体１３の発泡原料として、例えば断熱発泡体１２と同一の硬質ウレタンフォーム原料を塗布する塗布ノズル５４が設けられ、この塗布ノズル５４によって例えばイソシアネート系成分とポリオール系成分の２液を混合攪拌して発泡原料とした後、上面材４１の表面（真空断熱パネル１０の内側となる上面）に塗布するようにしている。
【００５８】
また、この塗布時において、発泡原料を横幅方向（図４の紙面垂直方向）に均一に塗布するため、塗布ノズル５４を横幅方向に往復動させながら連続的に塗布するようにし、反転後下面材４２上の真空断熱材１１上に積層するように載せた場合に厚みが均一になるようにする。
【００５９】
さらに、上面材移送ライン５２の湾曲部５３から下流にかけて、カーブドプラテンヒーターなどの加熱装置５５が設けられ、塗布ノズル５４で塗布された発泡原料が次第に発泡しながら上面材４１とともに送られる場合の発泡原料の発泡状態を調整できるようにしてある。
【００６０】
こうして上面材４１に塗布された発泡原料が発泡した状態で、上面材４１と下面材４２とを対向させながら接近させ、上面材４１と下面材４２上の真空断熱材１１とで発泡体１３をサンドイッチ状に挟み込んだ後、更に下流のダブルコンベア５６内に送り込んで上下から押えて一定の厚みにする。
【００６１】
そして、ダブルコンベア５６で発泡厚みをほぼ所定の範囲内に規制して一体に積層されたのち、下流のキュアオーブン５７に送られ、発泡体１３を加熱硬化させて一体化するようにしてある。
【００６２】
こうして真空断熱材１１に発泡体１３が積層され、上下に面材４１、４２が当てられて一体化された後、トリミングのためカットされ、所定の大きさの積層真空断熱体１５が完成する。
【００６３】
このカットには、サイドカッタ５８およびクロスカッタ５９が用いられ、たとえば図５に示すように、下面材移送ライン５１の下面材４２の下側に金属を検出する金属検出センサとして、たとえば高周波誘導式近接センサ６０を設け、この高周波誘導式近接センサ６０から一定の位置にクロスカッタ５９を設置しておくことで、真空断熱材１１を検出し、その検出結果に基づいてカットすることで、真空断熱材１１を損傷することなく所定の長さに自動切断できるようにしてある。
【００６４】
このようにして積層真空断熱体１５を製造することで、真空断熱材１１上に均一の厚さで断熱材となる発泡体１３を積層することができ、従来の合成樹脂発泡体を、型に取り付けた上下面材と真空断熱材の間に注入する方式に比べ、積層真空断熱体１５を連続的に製造することができ、大幅な生産性向上を図ることができるとともに、コスト低減を図ることができる。
【００６５】
そして、打ち抜き孔１４を形成した断熱発泡体１２の打ち抜き孔１４に、積層真空断熱体１５を嵌め込むように装着し、打ち抜き孔１４の周囲で断熱発泡体１２と積層真空断熱体１５とをテープなどで固定することで、真空断熱パネル１０が完成する。
【００６６】
また、打ち抜き孔１４の周囲側面、あるいは積層真空断熱体１５の周囲側面に接着剤をつけて固定するようにしても良い。
【００６７】
このような真空断熱パネルの製造方法によれば、断熱発泡体１２と積層真空断熱体１５とを別々に製造し、これらを組み立てるようにするので、真空断熱材１１が入る部分と入らない部分があっても断熱発泡体１２および発泡体１３の厚さを調整してパネル全体の厚さを均一にできるとともに、一部分が膨らむこともなく平滑にすることができる。
【００６８】
また、この真空断熱パネルの製造方法によれば、断熱発泡体１２および積層真空断熱体１５のいずれも型を必要とせずに製造することができ、大きさの異なる真空断熱パネルを製造する場合にも簡単に対応して製造することができる。
【００６９】
なお、大きさの異なる真空断熱パネルとしては、内部に挟み込む真空断熱材の１枚を大きく変える場合に限らず、同一大きさの真空断熱材で周囲の断熱発泡体部分の大きさが異なる場合、真空断熱材を複数枚として真空断熱材部分の大きさが異なる場合など、いずれの大きさの異なる真空断熱パネルも同様にして製造することができる。
【００７０】
また、このような大きさの異なる真空断熱パネルを製造する場合に、内部に挟み込む真空断熱材を複数枚として積層真空断熱体を製造し、複数枚の真空断熱材を含む１つの積層真空断熱体を断熱発泡体の１つの打ち抜き孔に装着して固定するようにしても良い。
【００７１】
既に説明した積層真空断熱材の製造の場合やこのような複数枚の真空断熱材を含む積層真空断熱体の製造の場合に、特に下面材の内外側面などに真空断熱材の位置を示すマーキングを施すことで、真空断熱材を所定の位置に接着でき、カットも正確にできるとともに、断熱施工の際の真空断熱材の損傷を防止することができる。
【図面の簡単な説明】
【００７２】
【図１】この発明の真空断熱パネルの一実施の形態にかかる分解状態の概略斜視図である。
【図２】この発明の真空断熱パネルの他の一実施の形態にかかる分解状態の概略斜視図である。
【図３】この発明の真空断熱パネルの製造方法の一実施の形態にかかる断熱発泡体の製造工程の概略構成図である。
【図４】この発明の真空断熱パネルの製造方法の一実施の形態にかかる積層真空断熱体の製造工程の概略構成図である。
【図５】この発明の真空断熱パネルの製造方法の一実施の形態にかかる積層真空断熱体の製造工程の製造開始部分および製造終了部分を拡大した概略構成図である。
【図６】従来の真空断熱パネルの概略斜視図である。
【符号の説明】
【００７３】
１０        真空断熱パネル
１１        真空断熱材
１２        断熱発泡体
１３        発泡体
１４        打ち抜き孔
１５        積層真空断熱体
２１、４１        上面材
２２、４２        下面材
３０、５０        連続製造装置
３１、５１        下面材移送ライン
３２、５２        上面材移送ライン
３３、５３        湾曲部
３４、５４        塗布ノズル
３５、５５        加熱装置
３６、５６        ダブルコンベア
３７、５７        キュアオーブン
３８、５８        サイドカッタ
３９、５９        クロスカッタ
６０              金属検出センサ
【図１】
2005282840.tif 000003
【図２】
2005282840.tif 000004
【図３】
2005282840.tif 000005
【図４】
2005282840.tif 000006
【図５】
2005282840.tif 000007
【図６】
2005282840.tif 000008